(57)【要約】【課題】レフィル容器のみを離脱させて交換することが可能であり、かつ従来よりも衝撃吸収性能に優れ、さらにレフィル容器の取り外し操作性の向上も図り得るコンパクト容器を提供する。【解決手段】容器本体２に形成され、化粧料Ｐが充填されたレフィル容器３を収納する凹所４と、凹所の底面４ａに設けられ、レフィル容器の底部３ａに貼着されてこれらレフィル容器と容器本体との間に作用する衝撃を吸収するゲル素材で形成された衝撃吸収用シート材５と、衝撃吸収用シート材とレフィル容器底部との間に設けられ、貼着作用面積を衝撃吸収作用面積よりも小さくする有孔シート材６とを備えた。【選択図】図１
2007167341.tif 000002
【特許請求の範囲】
【請求項１】
容器本体に形成され、化粧料が充填されたレフィル容器を収納する凹所と、該凹所の底面に設けられ、上記レフィル容器の底部に貼着されてこれらレフィル容器と容器本体との間に作用する衝撃を吸収するゲル素材で形成された衝撃吸収用シート材と、該衝撃吸収用シート材と上記レフィル容器底部との間に設けられ、貼着作用面積を衝撃吸収作用面積よりも小さくする有孔シート材とを備えたことを特徴とするコンパクト容器。
【請求項２】
前記レフィル容器の周側部と前記凹所の周側面との間に、該レフィル容器と前記容器本体との間に作用する衝撃を吸収するバネ片が配置されるとともに、該バネ片が前記有孔シート材に一体的に形成されたことを特徴とする請求項１に記載のコンパクト容器。
【請求項３】
前記レフィル容器は化粧料を露出させる皿状に形成され、化粧料の露出部分を覆うカバー片が前記有孔シート材に一体的に形成されたことを特徴とする請求項１または２に記載のコンパクト容器。
【発明の詳細な説明】
【技術分野】
【０００１】
本発明は、レフィル容器のみを離脱させて交換することが可能であり、かつ従来よりも衝撃吸収性能に優れ、さらにレフィル容器の取り外し操作性の向上も図り得るコンパクト容器に関する。
【背景技術】
【０００２】
従来、化粧料が充填された中皿が容器本体内に収納されるコンパクト容器の中には、それが落下されるなどして衝撃が加わった場合に化粧料に割れが生じるのを防止すべく、中皿に加わる衝撃を吸収するようにしたコンパクト容器が知られている。例えば、特許文献１の「コンパクト容器」では、容器本体に蓋体を枢着し、容器本体の一側壁と底壁を切除して開口部を設け、この開口部に摺動底部を出入り可能に設け、固形化粧料を収納した中皿（レフィル容器）を、摺動底部の内底面上に設けた、中皿の底面積よりも小さい緩衝材で載支した構成を開示している。緩衝材の素材としてはポリウレタン、合成ゴムなどが例示されている。また、緩衝材は摺動底部の内底面上、および中皿の底面下側に接着されている。
【特許文献１】実開平３−１３９０８号公報
【発明の開示】
【発明が解決しようとする課題】
【０００３】
ところで、特許文献１の技術にあっては、中皿、緩衝材、摺動底部が接着により一体化されているので、新たな化粧料を使用すべく中皿を交換する際には、緩衝材および摺動底部ごと交換しなければならなかった。すなわち、中皿のみを離脱させて交換することができなかった。また、ポリウレタンや合成ゴムなどを素材とする緩衝材は、実際にはさほど柔軟でなく比較的硬質であって、具体的には最大減速度や減衰率などの点において、さほど優れた衝撃吸収性を発揮し得なかった。
【０００４】
さらに、レフィル容器の場合、交換操作が行われる。交換する際にレフィル容器を緩衝材から剥がし取る操作性は、接着であれ、貼着であれ、レフィル容器に対する緩衝材の取り付け面積が小さい方が、小さな力で容易にレフィル容器を緩衝材から剥がし取ることができる。しかしながら、衝撃吸収性の面からいえば、緩衝材を大きくすれば、レフィル容器に対する衝撃吸収性能を良好にすることができる。従って、レフィル容器と緩衝材との関係で、衝撃吸収性を確保すべく緩衝材を大きくすると、レフィル容器を取り外す操作がし難くなり、他方、取り外し操作性を優先して緩衝材を小さくすると、衝撃吸収性能が低下してしまう。そこで、高い衝撃吸収性能を確保できる一方で、レフィル容器の取り外し操作性も容易化することが望まれる。
【０００５】
本発明は上記従来の課題に鑑みて創案されたものであって、レフィル容器のみを離脱させて交換することが可能であり、かつ従来よりも衝撃吸収性能に優れ、さらにレフィル容器の取り外し操作性の向上も図り得るコンパクト容器を提供することを目的とする。
【課題を解決するための手段】
【０００６】
本発明にかかるコンパクト容器は、容器本体に形成され、化粧料が充填されたレフィル容器を収納する凹所と、該凹所の底面に設けられ、上記レフィル容器の底部に貼着されてこれらレフィル容器と容器本体との間に作用する衝撃を吸収するゲル素材で形成された衝撃吸収用シート材と、該衝撃吸収用シート材と上記レフィル容器底部との間に設けられ、貼着作用面積を衝撃吸収作用面積よりも小さくする有孔シート材とを備えたことを特徴とする。
【０００７】
前記レフィル容器の周側部と前記凹所の周側面との間に、該レフィル容器と前記容器本体との間に作用する衝撃を吸収するバネ片が配置されるとともに、該バネ片が前記有孔シート材に一体的に形成されたことを特徴とする。
【０００８】
前記レフィル容器は化粧料を露出させる皿状に形成され、化粧料の露出部分を覆うカバー片が前記有孔シート材に一体的に形成されたことを特徴とする。
【発明の効果】
【０００９】
本発明にかかるコンパクト容器にあっては、レフィル容器のみを離脱させて交換することができ、かつ従来よりも衝撃吸収性能に優れ、さらにレフィル容器の取り外し操作性の向上も図ることができる。
【発明を実施するための最良の形態】
【００１０】
以下に、本発明にかかるコンパクト容器の好適な実施形態を、添付図面を参照して詳細に説明する。第１実施形態にかかるコンパクト容器１は基本的には、図１〜図３に示すように、容器本体２に形成され、化粧料Ｐが充填されたレフィル容器３を収納する凹所４と、凹所４の底面４ａに設けられ、レフィル容器３の底部３ａに貼着されてこれらレフィル容器３と容器本体２との間に作用する衝撃を吸収するゲル素材で形成された衝撃吸収用シート材５と、衝撃吸収用シート材５とレフィル容器底部４ａとの間に設けられ、貼着作用面積を衝撃吸収作用面積よりも小さくする有孔シート材６とを備えて構成される。
【００１１】
容器本体２は、底壁２ａと、底壁２ａの外周縁から立ち上げて形成された周側壁２ｂと、これら底壁２ａおよび周側壁２ｂで区画された内部空間の左右方向中央に位置させて形成された仕切り壁２ｃとから主に構成される。仕切り壁２ｃの左側に、レフィル容器３を収納する凹所４が形成され、右側に、化粧具等を収納する収納部７が形成される。従って、凹所４は、底壁２ａでその底面４ａが形成され、周側壁２ｂおよび仕切り壁２ｃでその周側面４ｂが形成される。仕切り壁２ｃには、凹所４内に収納されたレフィル容器３を取り外す際に、レフィル容器３に手指を掛けるための案内となる窪み部８が形成される。容器本体２にはこれを開閉する蓋体９が設けられる。蓋体９は、その後端と容器本体２の後端との間に設けられた蝶番１０を介して、容器本体２に対し回動自在に取り付けられる。蓋体９の内面には、鏡１１が取り付けられる。容器本体２の前端には、蓋体９の前端に形成されたフック１２に係脱自在に係合して、蓋体９の閉じ状態を保持する係合突起１３が設けられる。
【００１２】
化粧料Ｐが充填されるレフィル容器３は、底部３ａと底部３ａ外周縁から立ち上げて形成された周側部３ｂとによって、上方が開放された皿状に形成される。充填された化粧料Ｐは、レフィル容器３の上面に露出される。図示例にあっては、レフィル容器３および凹所４は、それらの平面外形輪郭が矩形状に形成されているが、円形状もしくは多角形状であっても良い。また、レフィル容器３の外形寸法については、縦横寸法が、その周側部３ｂと凹所４の周側面４ｂとの間に僅かな隙間が生じるように設定され、また高さ寸法は、凹所４の底面４ａに設けられる衝撃吸収用シート材５上に設置された状態で、おおよそ容器本体２の周側壁２ｂや仕切り壁２ｃの上端とほぼ一致するように設定される。
【００１３】
ゲル素材で形成された衝撃吸収用シート材５は、粘着性を有し、取り付け対象に対し、貼り付けて設けられる。ゲル素材は、一般的な樹脂素材やゴム素材と比べ、最大減速度や減衰率などの衝撃吸収性に優れていることで注目されている。この種の衝撃吸収用シート材としては、例えば（株）イノアックコーポレーション製の「ＮＡＧＦＬＥＸ」（登録商標）が知られている。
【００１４】
このようなゲル素材であれ、一般的な樹脂素材やゴム素材であれ、ボリューム（体積）が大きい方が小さい場合に比べて、対象物に対して高い衝撃吸収性能を発揮する。そこで、本実施形態にあっては、優れた衝撃吸収性能を確保できるように、衝撃吸収用シート材５は、凹所４内に収納可能な比較的大きな外形寸法で形成されて、凹所底面４ａに貼り付けて設けられる。また、この衝撃吸収用シート材５は、凹所４内に収納されるレフィル容器３の底部３ａに貼着される。この衝撃吸収用シート材５により、落下などにより容器本体２から凹所４内に収納されたレフィル容器３に加わろうとする衝撃が吸収されて、レフィル容器３に強いショックが作用することはなく、これによって化粧料Ｐに割れが生じることなどを確実に防止することが可能となる。
【００１５】
有孔シート材６は、衝撃吸収用シート材５の上に、これと凹所４に収納されるレフィル容器３の底部３ａとの間に位置させて設けられる。有孔シート材６は、例えば合成樹脂材などにより形成される。図示例にあっては、有孔シート材６の外形輪郭は、レフィル容器３および凹所４の平面外形輪郭に対応させて矩形状に形成されている。有孔シート材６は、衝撃吸収用シート材５の表面全体を覆う平坦な基材シート部６ａに、粘着性を有する衝撃吸収用シート材５の表面を部分的に露出させる孔部６ｂが形成されて構成される。
【００１６】
衝撃吸収用シート材５は、上述したようにそのボリューム全体で衝撃吸収作用を発揮し、従って当該シート材５の面積的には、衝撃吸収作用面積はその全面積となる。有孔シート材６は、その孔部６ｂを介してのみ、衝撃吸収用シート材５とレフィル容器底部３ａとの貼着作用を確保し、従って孔部６ｂの面積が貼着作用面積となる。他方、基材シート部６ａは、レフィル容器３と衝撃吸収用シート材５とを縁切りする。
【００１７】
以上の構成から明らかなように、有孔シート材６は、衝撃吸収用シート材５にその面積、そのボリューム全体で衝撃吸収作用を発揮させつつ、基材シート部６ａの縁切り作用によって、孔部６ｂのみで衝撃吸収用シート材５をレフィル容器３に貼着させて、衝撃吸収用シート材５における貼着面積を衝撃吸収面積よりも小さくするように機能する。図示例にあっては、有孔シート材６には、４つの矩形状の孔部６ｂが形成されている。しかしながら、孔部６ｂについては図３に変形例を示すように、基材シート部６ａの中央部に一つの円形状の孔部６ｂを形成するなど、その配置や形状、数はどのように設定しても良い。
【００１８】
この有孔シート材６には、帯状繋ぎ片１４を介して、レフィル容器３に充填された化粧料Ｐの露出部分を覆うカバー片１５が一体的に設けられる。帯状繋ぎ片１４は、凹所４内に位置される有孔シート材６の周縁から凹所４の周側面４ｂに沿わせて上方へ向かって延出されて、ほぼ容器本体２の周壁部２ｂ上端位置まで形成される。この帯状繋ぎ片１４は、レフィル容器３を凹所４へ収納した際、レフィル容器３の周側部３ｂと凹所４の周側面４ｂとの間に挟み込まれて位置される。帯状繋ぎ片１４の上端には、折り曲げ自在にカバー片１５が連結される。カバー片１５は、レフィル容器３の外形寸法相当で形成され、蓋体９を閉じる際などに、凹所４に収納されたレフィル容器３上方へ折り曲げられることで、化粧料Ｐの露出部分を覆い、蓋体９の鏡１１が化粧料Ｐで汚損されることを防止するとともに、化粧料使用時には、レフィル容器３外方へ折り返されるようになっている。カバー片１５には、仕切り壁２ｃの窪み部８位置に対応させて、カバー片１５を操作するためのつまみ部１５ａが形成される。
【００１９】
本実施形態にかかるコンパクト容器１の作用について説明すると、コンパクト容器１は蓋体９を閉じた状態で携帯され、また開いた状態で使用される。いずれの状態であっても、衝撃吸収用シート材５を設けたので、容器本体２を取り落とすなどして、容器本体２とレフィル容器３との間に衝撃が作用しても、衝撃吸収用シート材５によって適切に吸収することができ、化粧料Ｐの割れなどを防止することができる。レフィル容器３を交換する際には、窪み部８に手指を入れてレフィル容器３を押し上げれば、レフィル容器３は粘着性を有する衝撃吸収用シート材５に対し、有孔シート材６の孔部６ｂを介してのみ貼着されているので、軽い操作力で衝撃吸収用シート材５から引き剥がして凹所４内から取り出すことができる。新しいレフィル容器３は、単に凹所４内に落とし込んで、凹所４内に位置している有孔シート材６上へ載せるだけで、孔部６ｂを介して衝撃吸収用シート材５にレフィル容器底部３ａを貼着させることができる。
【００２０】
特に本実施形態にあっては、有孔シート材６を設けたので、衝撃吸収用シート材５の衝撃吸収作用については、有孔シート材６の基材シート部６ａでレフィル容器３と縁切りした部分も含めて、その全面積に対応するボリュームで高い衝撃吸収性能を確保することができるとともに、かつレフィル容器３の取り外し操作性については、孔部６ｂの狭い貼着作用面積での貼着作用であることから、小さな操作力でレフィル容器３を凹所４内から取り出すことができ、これら衝撃吸収性能と取り外し操作性との両立を達成することができる。
【００２１】
殊に、剥離操作性を良くする意味では、小さな衝撃吸収用シート材を多数凹所内に設けることが考えられるが、そのような構成では、多数の小さな衝撃吸収用シート材を凹所に組み付けることになって組み立て作業が煩雑になるとともに、ボリュームで効く衝撃吸収性能も減殺されるのに対し、本実施形態にかかるコンパクト容器１にあっては、そのような不具合が生じることはない、
他方、化粧操作をする際には、蓋体９を開けた後、つまみ部１５ａを持ち上げて、化粧料Ｐの露出部分を覆っているカバー部１５をレフィル容器３外方へ折り返して移動させれば、支障なく化粧操作を行うことができる。また、化粧操作後は、カバー部１５をレフィル容器３上方へ折り曲げて化粧料Ｐの露出部分を覆えば、鏡１１が汚損されることを防止できる。
【００２２】
図４および図５には、本発明にかかるコンパクト容器１の第２実施形態が示されている。第２実施形態にあっては、レフィル容器３の周側部３ｂと凹所４の周側面４ｂとの間の隙間に、衝撃を吸収するバネ片１６が配置されるとともに、バネ片１６が有孔シート材６に一体的に形成される。バネ片１６は、上端縁が凹所４の周側面４ｂに当接され、下端縁がレフィル容器３の周側部３ｂに当接されるように、上方から下方に向かって順次凹所４内方へ傾斜させて設けられる。そしてバネ片１６の下端縁は、有孔シート材６の周縁に一体的に接合される。言い換えれば、バネ片１６は、有孔シート材６の周縁部を立ち上げるように折り返すことで形成される。図示例にあっては、バネ片１６は、矩形状の平面外形輪郭を有するレフィル容器３、凹所４、並びに有孔シート材６に対応させて、これらの周囲に４つ設けられる。
【００２３】
そして、容器本体２とレフィル容器３との間に横方向に衝撃が作用したとき、これらバネ片１６の弾性作用で、衝撃が吸収される。これにより、衝撃吸収用シート材５の衝撃吸収作用に加えて、バネ片１６による衝撃吸収作用も得られて、レフィル容器３に対する衝撃入力を大幅に軽減することができる。
【００２４】
また、レフィル容器３の凹所４への装着操作性に関し、バネ片１６はその上端縁から下端縁に向かって凹所４内方へ斜めに形成されるので、レフィル容器３を凹所４内に落とし込むと、バネ片１６がレフィル容器３を凹所４の中央、従って衝撃吸収用シート材５の真上に案内することとなり、挿入されるレフィル容器３を、衝撃吸収用シート材５に対し常に一定の位置となるように案内することができて、位置ズレすることなく適切に衝撃吸収用シート材５に対し貼着させることができる。すなわち、バネ片１６を、凹所４内におけるレフィル容器３の位置決め部材として機能させることができる。これにより、レフィル容器３が衝撃吸収用シート材５に対し偏って位置されることを防止することができ、確実な衝撃吸収作用によって化粧料Ｐの割れなどを適切に防止することができる。
【００２５】
また、このようなバネ片１６を有孔シート材６に一体的に形成したことにより、第１実施形態よりもさらに優れた衝撃吸収性能を有するコンパクト容器１を、部品点数を増やすことなく、また同じ組み付け作業性で生産することができる。
【図面の簡単な説明】
【００２６】
【図１】本発明にかかるコンパクト容器の第１実施形態を示す分解斜視図である。
【図２】図１のコンパクト容器の要部拡大側断面図である。
【図３】図１に示した有孔シート材の変形例を示す斜視図である。
【図４】本発明にかかるコンパクト容器の第２実施形態を示す要部拡大側断面図である。
【図５】図４に示したコンパクト容器の有孔シート材を示す斜視図である。
【符号の説明】
【００２７】
１  コンパクト容器
２  容器本体
３  レフィル容器
３ａ  レフィル容器の底部
３ｂ  レフィル容器の周側部
４  凹所
４ａ  凹所の底面
４ｂ  凹所の周側面
５  ゲル素材で形成された衝撃吸収用シート材
６  有孔シート材
１５  カバー片
１６  バネ片
Ｐ  化粧料
【図１】
2007167341.tif 000003
【図２】
2007167341.tif 000004
【図３】
2007167341.tif 000005
【図４】
2007167341.tif 000006
【図５】
2007167341.tif 000007